【手続補正書】
【提出日】平成27年5月1日(2015.5.1)
【手続補正１】
【補正対象書類名】明細書
【補正対象項目名】００５３
【補正方法】変更
【補正の内容】
【００５３】
本発明の精神または範囲から逸脱することなく、開示されるプライバシーカードカバーの実施形態において、種々の修正および変形例が行われてもよいことは、当業者に明白となるであろう。したがって、本発明は、修正および変形例が、任意の請求項およびその均等物の範囲内であることを条件として、前述で開示された実施形態の修正および変形例を網羅することが意図される。
なお、本発明は、実施の態様として以下の内容を含む。
〔態様１〕
ビデオ伝送システムであって、該システムは、
デコーダ内のエラー検出器であって、該エラー検出器は、デコードされる画像のマクロブロック内のエラーを検出する、エラー検出器と、
戻り接続を用いて該エラー検出器に連結されたエンコーダ内のエラー解消モジュールであって、該エラー解消モジュールは、エラーを有するマクロブロックの割合を決定する、エラー解消モジュールと、
該エンコーダ内のリフレッシュツールであって、該リフレッシュツールは、該マクロブロックの割合に基づいて該デコードされる画像をリフレッシュさせる、リフレッシュツールと
を備える、システム。
〔態様２〕
前記デコードされる画像に対応するマクロブロックを記憶するマクロブロックテーブルをさらに備える、態様１に記載のビデオ伝送システム。
〔態様３〕
前記リフレッシュツールは、オンデマンドイントラリフレッシュツールを備え、該オンデマンドイントラリフレッシュツールは、識別された前記デコードされる画像内のマクロブロックを前記エラー検出器によってリフレッシュさせる、態様１に記載のビデオ伝送システム。
〔態様４〕
前記リフレッシュツールは、ランダムイントラリフレッシュツールを備え、該ランダムイントラリフレッシュツールは、前記デコードされる画像内のマクロブロックをランダムにリフレッシュさせる、態様１に記載のビデオ伝送システム。
〔態様５〕
前記エンコーダに接続されたバッファをさらに備え、該バッファのサイズは、前記デコードされる画像に対応する、態様１に記載のビデオ伝送システム。
〔態様６〕
ビデオ伝送システム内の画像をリフレッシュさせるための方法であって、該方法は、
デコーダにおいて、該画像内のマクロブロックの中のエラーを検出することと、
該デコーダまでの戻り接続を有するエンコーダにおいて、該マクロブロックの中の該エラーを受信することと、
該マクロブロックの中の該エラーがある割合を超えるか否かを決定することと、
該マクロブロックの中の該エラーが該割合以下である場合に、オンデマンドイントラリフレッシュを行うことと、
該マクロブロックの中の該エラーが該割合を超える場合に、ランダムイントラリフレッシュを行うことと
を含む、方法。
〔態様７〕
エラーが前記マクロブロックの中で検出されない場合に、イントラリフレッシュを行わないことをさらに含む、態様６に記載の方法。
〔態様８〕
テーブル要求をエラーを有する前記マクロブロックを用いて充填することをさらに含む、態様６に記載の方法。
〔態様９〕
前記テーブル要求を、前記画像の中に前記マクロブロックを含むマップされたテーブルと比較することをさらに含む、態様８に記載の方法。
〔態様１０〕
前記オンデマンドイントラリフレッシュのステップを行うことは、前記画像の中の前記マクロブロックのエラーに対応するテーブル内のマクロブロックを識別することを含む、態様６に記載の方法。
〔態様１１〕
前記識別されたマクロブロックを使用して、前記画像をリフレッシュさせることをさらに含む、態様１１に記載の方法。
〔態様１２〕
前記ランダムイントラリフレッシュのステップを行うことは、前記画像のランダムな一組のマクロブロックを生成することを含む、態様６に記載の方法。
〔態様１３〕
前記ランダムな一組のマクロブロックをリフレッシュさせることをさらに含む、態様１２に記載の方法。
〔態様１４〕
前記検出するステップは、エラー検出器を使用することを含み、該エラー検出器は、前記画像内の前記マクロブロックの中の前記エラーを検出する、態様６に記載の方法。
〔態様１５〕
ビデオ伝送システム内の画像をイントラリフレッシュさせるための方法であって、該方法は、
該画像内のマクロブロックの中の識別されたエラーを受信することと、
該識別されたエラーに応答してイントラリフレッシュプロセスを行うことと、
該画像に対して一組のマクロブロックをリフレッシュさせることと
を含む、方法。
〔態様１６〕
前記イントラリフレッシュプロセスのステップを行うことは、前記識別されたエラーを有する前記マクロブロックをリフレッシュさせることによって、オンデマンドイントラリフレッシュプロセスを行うことを含む、態様１５に記載の方法。
〔態様１７〕
前記イントラリフレッシュプロセスのステップを行うことは、前記画像内のランダムな一組のマクロブロックをリフレッシュさせることによって、ランダムイントラリフレッシュプロセスを行うことを含む、態様１５に記載の方法。
〔態様１８〕
デコーダから前記画像をリフレッシュさせるエンコーダまでの戻り接続を構築することをさらに含む、態様１５に記載の方法。
【手続補正２】
【補正対象書類名】特許請求の範囲
【補正対象項目名】全文
【補正方法】変更
【補正の内容】
【特許請求の範囲】
【請求項１】
ビデオ伝送システムであって、該システムは、
デコーダ内のエラー検出器であって、デコードされる画像のマクロブロック内のエラーを検出する、エラー検出器と、
戻り接続を用いて該エラー検出器に連結されたエンコーダ内のエラー解消モジュールであって、
エラーを有するマクロブロックの割合を決定し、
該割合を、デコードされた画像全体のイントラフレームリフレッシュに相当するオンデマンドイントラリフレッシュの量を示すしきい値と比較し、
該割合が該しきい値よりも大きい場合には、リフレッシュポリシーとして、エラー部分に対応するリフレッシュ部分のマクロブロックをリフレッシュする、ランダムイントラリフレッシュポリシーを指定し、
該割合が該しきい値以下の場合には、リフレッシュポリシーとして、伝送エラーを有するマクロブロックのみをリフレッシュする、オンデマンドイントラリフレッシュポリシーを指定し、
これにより、該ランダムイントラリフレッシュポリシーと該オンデマンドイントラリフレッシュポリシーとの間のビットレートの変動が有意ではない、エラー解消モジュールと、
該エンコーダ内のリフレッシュツールであって、該リフレッシュポリシー基づいて該デコードされる画像をリフレッシュさせる、リフレッシュツールと
を備える、システム。
【請求項２】
前記デコードされる画像に対応するマクロブロックを記憶するマクロブロックテーブルをさらに備える、請求項１に記載のビデオ伝送システム。
【請求項３】
前記エンコーダに接続されたバッファをさらに備え、該バッファのサイズは、前記デコードされる画像に対応する、請求項１に記載のビデオ伝送システム。
【請求項４】
ビデオ伝送システム内の画像をリフレッシュさせるための方法であって、該方法は、
デコーダにおいて、該画像内のマクロブロックの中のエラーを検出することと、
該デコーダまでの戻り接続を有するエンコーダにおいて、該マクロブロックの中の該エラーを受信することと、
該マクロブロックの中の該エラーが、画像全体のイントラフレームリフレッシュに相当するオンデマンドイントラリフレッシュの量を示す割合を超えるか否かを決定することと、
該マクロブロックの中の該エラーが該割合以下である場合に、伝送エラーを有するマクロブロックのみをリフレッシュする、オンデマンドイントラリフレッシュを行うことと、
該マクロブロックの中の該エラーが該割合を超える場合に、エラー部分に対応するリフレッシュ部分のマクロブロックをリフレッシュする、ランダムイントラリフレッシュを行うことと
を含み、
これにより、該ランダムイントラリフレッシュポリシーと該オンデマンドリフレッシュポリシーとの間のビットレートの変動が有意ではない、方法。
【請求項５】
エラーが前記マクロブロックの中で検出されない場合に、イントラリフレッシュを行わないことをさらに含む、請求項４に記載の方法。
【請求項６】
テーブル要求をエラーを有する前記マクロブロックを用いて充填することをさらに含む、請求項４に記載の方法。
【請求項７】
前記テーブル要求を、前記画像の中に前記マクロブロックを含むマップされたテーブルと比較することをさらに含む、請求項６に記載の方法。
【請求項８】
前記オンデマンドイントラリフレッシュのステップを行うことは、前記画像の中の前記マクロブロックのエラーに対応するテーブル内のマクロブロックを識別することを含む、請求項４に記載の方法。
【請求項９】
前記識別されたマクロブロックを使用して、前記画像をリフレッシュさせることをさらに含む、請求項８に記載の方法。
【請求項１０】
前記ランダムイントラリフレッシュのステップを行うことは、前記画像のランダムな一組のマクロブロックを生成することを含む、請求項４に記載の方法。
【請求項１１】
前記ランダムな一組のマクロブロックをリフレッシュさせることをさらに含む、請求項１０に記載の方法。